(57)【要約】【課題】  防犯機能を有する手段を起動可能に構成された携帯端末において、必要なときに簡易な操作で防犯機能を有する手段を起動させる。【解決手段】  携帯電話端末１００は、操作ボタン群１０２と、操作ボタン群１０２の操作を検出する操作検出部１０４と、主用途における通常の操作では使用されない操作ボタンの異常操作パターンを記憶する異常操作記憶部１１８と、操作検出部１０４により検出された操作に基づき、入力された入力操作パターンを抽出し、当該入力操作パターンが異常操作記憶部１１８に記憶された異常操作パターンに該当するか否かを判定する操作判定部１１０と、操作判定部１１０により、入力操作パターンが異常操作パターンに該当すると判定された場合に、防犯機能部１１４を起動させる防犯機能起動部１１２とを含む。【選択図】      図１
2007053470.tif 000002
【特許請求の範囲】
【請求項１】
防犯機能を有する手段を起動可能に構成されるとともに、防犯以外の主用途を有する携帯端末であって、
複数の操作ボタンと、
前記複数の操作ボタンの操作を検出する操作検出部と、
前記主用途における通常の操作では使用されない前記操作ボタンの異常操作パターンを記憶する異常操作記憶部と、
前記操作検出部により検出された前記操作に基づき、入力された入力操作パターンを抽出し、当該入力操作パターンが前記異常操作記憶部に記憶された前記異常操作パターンに該当するか否かを判定する操作判定部と、
前記操作判定部により前記入力操作パターンが前記異常操作パターンに該当すると判定された場合に、前記防犯機能を有する手段を起動させる起動部と、
を含む携帯端末。
【請求項２】
請求項１に記載の携帯端末において、
前記異常操作記憶部は、複数の前記異常操作パターンを記憶し、
前記起動部は、前記操作検出部により検出された前記入力操作パターンが前記異常操作記憶部に記憶されたいずれかの前記異常操作パターンに該当するときに、前記防犯機能を有する手段を起動させる携帯端末。
【請求項３】
請求項１または２に記載の携帯端末において、
前記異常操作記憶部は、一つの前記異常操作パターンに複数種類の前記入力操作パターンが該当するような前記異常操作パターンを記憶する携帯端末。
【請求項４】
請求項１乃至３いずれかに記載の携帯端末において、
前記主用途における通常の操作で使用される前記操作ボタンの通常操作パターンを記憶する通常操作記憶部と、
ユーザから前記異常操作パターンの登録指示があると、ユーザに指示された前記異常操作パターンが前記通常操作記憶部に記憶されているか否かを判断し、前記通常操作記憶部に記憶されていない場合に当該異常操作パターンを前記異常操作記憶部に記憶する登録受付部と、
をさらに含む携帯端末。
【請求項５】
請求項１乃至４いずれかに記載の携帯端末において、
前記防犯機能を有する手段が起動中に当該手段の起動を解除するための解除操作パターンを記憶する解除操作記憶部をさらに備え、
前記操作判定部は、前記操作検出部により検出された前記入力操作パターンが前記解除操作記憶部に記憶された前記解除操作パターンに該当するか否かを判定し、
前記起動部は、前記操作判定部により前記入力操作パターンが前記解除操作パターンに該当すると判定された場合に、前記防犯機能を有する手段の起動を解除する携帯端末。
【請求項６】
請求項１乃至５いずれかに記載の携帯端末において、
前記防犯機能を有する手段をさらに含む携帯端末。
【請求項７】
請求項１乃至６いずれかに記載の携帯端末において、
前記主用途は、無線通信機能である携帯端末。
【発明の詳細な説明】
【技術分野】
【０００１】
本発明は、携帯端末に関し、とくに、防犯機能を有する手段を起動可能に構成されるとともに、防犯以外の主用途を有する携帯端末に関する。
【背景技術】
【０００２】
近年、防犯対策として、防犯ブザー、痴漢対策スプレー、スタンガン等の防犯グッズの普及が進んでいる。しかし、通常、犯罪や事件は予期しないときに生じることが多く、防犯グッズを使用したくても、防犯グッズがカバン等にしまわれていてすぐに取り出せなかったり、防犯グッズを持ち歩いていなかったりして有効に活用されないことがあった。
【０００３】
一方、携帯電話端末等の小型電子機器の普及に伴い、通常誰もが何らかの小型電子機器を保持するようになっている。従来、防犯ブザー機能付きの携帯電話が提案されている。特許文献１には、電話機本体に設けられた複数のキーを使用して入力される警報用暗証番号にもとづいて警報信号を出力する警報信号出力手段と、該警報信号出力手段から出力される警報信号を受けて防犯ブザーを鳴動させるブザー駆動手段と、備えた携帯電話機が開示されている。
【０００４】
特許文献２には、システムの入力操作手段の操作パターンを検出し、その操作パターンと想定通常パターンとの乖離の程度に基づいて、プログラムの実行に異常が発生したことを推定するとともに、プログラムの使用開始に関する基準時からの時間経過情報を参照し、その時間経過情報が所定値に達していない場合は、過渡的に、プログラムの異常推定結果を無効化するか、またはプログラムの異常推定の処理自体を実行させないようにしたプログラム実行異常検出方法が開示されている。
【特許文献１】特開２００１−１７７６１１号公報
【特許文献２】特開２００４−２４０５８１号公報
【発明の開示】
【発明が解決しようとする課題】
【０００５】
しかし、特許文献１に記載の携帯電話機のように、暗証番号の入力に基づき防犯ブザーを鳴動させる方法では、以下のような問題があった。上述したように、犯罪や事件は予期しないときに生じることが多く、防犯ブザーを鳴らしたくても、被害者自身が慌ててしまい暗証番号を正しく入力できないということがある。また、防犯ブザーを利用するような機会は頻繁に生じるものではないため、暗証番号を忘れてしまっていて、いざというときに入力できないということもある。
【０００６】
本発明は上記事情に鑑みてなされたものであり、その目的とするところは、防犯機能を有する手段を起動可能に構成された携帯端末において、必要なときに簡易な操作で防犯機能を有する手段を起動させる技術を提供することにある。
【課題を解決するための手段】
【０００７】
本発明によれば、
防犯機能を有する手段を起動可能に構成されるとともに、防犯以外の主用途を有する携帯端末であって、
複数の操作ボタンと、
前記複数の操作ボタンの操作を検出する操作検出部と、
前記主用途における通常の操作では使用されない前記操作ボタンの異常操作パターンを記憶する異常操作記憶部と、
前記操作検出部により検出された前記操作に基づき、入力された入力操作パターンを抽出し、当該入力操作パターンが前記異常操作記憶部に記憶された前記異常操作パターンに該当するか否かを判定する操作判定部と、
前記操作判定部により前記入力操作パターンが前記異常操作パターンに該当すると判定された場合に、前記防犯機能を有する手段を起動させる起動部と、
を含む携帯端末が提供される。
【０００８】
ここで、携帯端末は、携帯電話端末、デジタルカメラ、腕時計、携帯ＤＶＤプレーヤー、携帯ゲーム機、ＰＤＡ（Personal Digital Assistance）等とすることができる。携帯端末の主用途は、たとえば無線通信機能とすることができる。
【０００９】
異常操作パターンは、通常の操作では使用されないが、防犯機能を有する手段を起動させる際に、多くの人やユーザが無意識に実行するような操作パターンとすることができる。また、異常操作パターンは、一義的なものではなく、一つの異常操作パターンに複数種類の入力操作パターンが該当するようなものとすることができる。
【００１０】
本実施の形態において、操作判定部は、入力操作パターンが異常操作記憶部に記憶された異常操作パターンに該当するか否かを判定し、起動部は、操作判定部により、入力操作パターンが異常操作パターンに該当すると判定された場合に、防犯機能を有する手段を起動させる。そのため、誤操作により防犯機能を有する手段が起動されるのを防ぎつつ、必要なときに簡易な操作で防犯機能を有する手段を起動させることができる。
【００１１】
本発明の携帯端末において、前記異常操作記憶部は、複数の前記異常操作パターンを記憶することができ、前記起動部は、前記操作検出部により検出された前記入力操作パターンが前記異常操作記憶部に記憶されたいずれかの前記異常操作パターンに該当するときに、前記防犯機能を有する手段を起動させることができる。
【００１２】
このようにしておけば、ユーザが防犯機能を有する手段を起動させたい場合に、慌てていたとしても、いずれかの異常操作パターンを入力することにより、防犯機能を有する手段を起動させることができる。
【００１３】
本発明の携帯端末は、前記主用途における通常の操作で使用される前記操作ボタンの通常操作パターンを記憶する通常操作記憶部と、ユーザから前記異常操作パターンの登録指示があると、ユーザに指示された前記異常操作パターンが前記通常操作記憶部に記憶されているか否かを判断し、前記通常操作記憶部に記憶されていない場合に当該異常操作パターンを前記異常操作記憶部に記憶する登録受付部と、をさらに含むことができる。
【００１４】
このようにすれば、異常操作パターンをユーザの指示に基づき登録することができるので、誤操作により防犯機能を有する手段が起動されるのを防ぐことができる。また、通常操作パターンとは異なる操作パターンを異常操作パターンとして登録することができる。
【００１５】
本発明の携帯端末は、前記防犯機能を有する手段が起動中に当該手段の起動を解除するための解除操作パターンを記憶する解除操作記憶部をさらに備えることができ、前記操作判定部は、前記操作検出部により検出された前記入力操作パターンが前記解除操作記憶部に記憶された前記解除操作パターンに該当するか否かを判定することができ、前記起動部は、前記操作判定部により前記入力操作パターンが前記解除操作パターンに該当すると判定された場合に、前記防犯機能を有する手段の起動を解除することができる。
【００１６】
本発明の携帯端末において、前記防犯機能を有する手段は、音声出力により犯罪や事件の発生を通知する手段とすることができる。また、携帯端末は、自装置内に防犯機能を有する手段を含むこともできる。さらに、防犯機能を有する手段は、携帯端末に外付けされてもよく、また携帯端末とは別個に設けられてもよい。
【発明の効果】
【００１７】
本発明によれば、防犯機能を有する手段を起動可能に構成された携帯端末において、必要なときに簡易な操作で防犯機能を有する手段を起動させることができる。
【発明を実施するための最良の形態】
【００１８】
以下、本発明の実施の形態について、図面を用いて説明する。尚、すべての図面において、同様な構成要素には同様の符号を付し、適宜説明を省略する。以下の実施の形態において、携帯端末が携帯電話端末である場合を例として説明する。
【００１９】
図１は、本実施の形態における携帯電話端末の構成を示すブロック図である。
携帯電話端末１００は、操作ボタン群１０２と、操作検出部１０４と、表示部１０６と、登録受付部１０８と、操作判定部１１０と、防犯機能起動部１１２と、防犯機能部１１４（防犯機能を有する手段）と、操作履歴記憶部１１６と、異常操作記憶部１１８と、設定操作記憶部１２０（通常操作記憶部、解除操作記憶部）とを含む。
【００２０】
なお、図１において、本発明の本質に関わらない部分の構成については省略してあり、たとえば、一般的な携帯電話端末の構成である無線通信機能部、スピーカ、マイク等は図示していない。図１に示した携帯電話端末１００の各構成要素は、ハードウエア単位の構成ではなく、機能単位のブロックを示している。携帯電話端末１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００２１】
操作ボタン群１０２は、複数の操作ボタンを含む。これら複数の操作ボタンは、利用者が携帯電話端末１００を操作するために用いるボタンである。図２は、携帯電話端末１００の外観模式図である。操作ボタン群１０２は、携帯電話端末１００の各種機能ボタンや番号ボタン（テンキー）とすることができる。これらのボタンは、ユーザが携帯電話端末１００により電話をかける時やメールを作成する時等、携帯電話端末１００の通常の操作に用いられる。
【００２２】
図１に戻り、表示部１０６は、たとえばディスプレイとすることができる。表示部１０６には、携帯電話端末１００の各種メニューや機能に応じた表示が行われる。
【００２３】
操作検出部１０４は、操作ボタン群１０２の複数の操作ボタンの操作を検出する。操作検出部１０４が検出した操作履歴は、操作履歴記憶部１１６に記憶される。
【００２４】
一般的な携帯電話端末には、複数の操作ボタンの操作単位によって様々な機能を実現する仕組みがある。たとえば、複数の番号ボタンが押下された後一定時間内に発信ボタンが押下されると、携帯電話端末内のプログラムにより、指定番号への音声通話リクエスト機能が起動されるようになっていることがある。携帯電話端末には、このような入力操作パターンを検出するために、操作履歴を一時的に記憶する操作履歴記憶部が設けられていることがある。本実施の形態において、操作履歴記憶部１１６は、従来の携帯電話端末の操作履歴記憶部を流用して構成することができる。
【００２５】
設定操作記憶部１２０は、携帯電話端末１００の防犯以外の機能を発現させるために使用される複数の操作ボタンの操作単位である通常操作パターンを記憶する。
【００２６】
異常操作記憶部１１８は、携帯電話端末１００の通常の操作では使用されない操作ボタンの異常操作パターンを記憶する。ここで、異常操作パターンは、通常の操作では使用されないが、防犯機能部１１４を起動させる際に、多くの人やユーザが無意識に実行するような操作パターンとすることができる。
【００２７】
異常操作記憶部１１８は、一つの異常操作パターンに複数種類の入力操作パターンが該当するような異常操作パターンを記憶することができる。本実施の形態において、異常操作パターンは、暗証番号のように一義的なものではなく、たとえば、いずれかのボタンが所定回数連続して押下されるという操作パターン、いずれかのボタンが所定のリズムで所定回数連続して押下されるという操作パターン、またはいずれかのボタンが一定時間以上連続して押下されるという操作パターン、またはこれらを適宜組み合わせた操作パターン等とすることができる。
【００２８】
異常操作パターンは、たとえば、携帯電話端末１００の操作ボタン群１０２のボタンレイアウトや、携帯電話端末１００が有する防犯以外の主用途に基づき、通常の操作では使用されないものとすることができる。通常の操作は、携帯電話端末１００の操作ボタンの配列や種類等によって変化することが多い。また、異常操作パターンは、設定操作記憶部１２０に記憶された通常操作パターンとは異なるパターンとする必要がある。異常操作記憶部１１８は、初期値として、携帯電話端末１００の製造メーカーや携帯電話事業者等により提供される異常操作パターンを記憶することができる。このような異常操作パターンは、ユーザに手渡される際に予め異常操作記憶部１１８に記憶されていてもよく、ユーザが所定のサイトからダウンロードするようにすることもできる。また、後述するように、異常操作記憶部１１８は、ユーザから登録指示のあった異常操作パターンを記憶することもできる。
【００２９】
また、本実施の形態において、異常操作記憶部１１８は、複数の異常操作パターンを記憶することができる。このようにしておけば、ユーザが防犯機能部１１４を起動させたい場合に、慌てていたとしても、いずれかの異常操作パターンを入力することにより、防犯機能部１１４を起動させることができる。一方、異常操作記憶部１１８に記憶する異常操作パターンの数を多くしすぎると、異常操作記憶部１１８のメモリ容量が大きくなるとともに、誤操作により意図しないときに防犯機能部１１４が起動されてしまうということが生じる。そのため、異常操作記憶部１１８は、所定数の異常操作パターンを記憶可能とするとともに、所定数以上の異常操作パターンの入力要請があった場合は、既に登録されているいずれかの異常操作パターンを消去する等の処理を行うようにすることができる。
【００３０】
操作判定部１１０は、操作検出部１０４により検出された操作ボタンの操作に基づき、入力された入力操作パターンを抽出し、その入力操作パターンが異常操作記憶部１１８に記憶された異常操作パターンに該当するか否かを判定する。操作判定部１１０は、操作履歴記憶部１１６に記憶された操作履歴を機能等の単位で入力操作パターンとして抽出する。
【００３１】
異常操作パターンは、たとえば、テンキーのいずれかが３秒以上連続して押下されるとともに、その後にテンキーのいずれかが３回押下された場合等とすることができる。この場合、操作判定部１１０は、たとえば「５」が３秒間押下された後「３、２、１」が順に押下された場合、または「１」が３秒間押下された後「１、２、１」が順に押下された場合のいずれの場合も異常操作パターンに該当すると判定する。
【００３２】
また、操作判定部１１０は、抽出した入力操作パターンが、設定操作記憶部１２０に記憶された通常操作パターンに該当するか否か等も検出する。さらに、設定操作記憶部１２０には、ユーザが異常操作記憶部１１８に記憶された異常操作パターンの変更や新たな異常操作パターンの登録指示を行う際の操作パターンや、防犯機能部１１４が起動されている際に、防犯機能部１１４を解除する際の解除操作パターンも記憶することができる。解除操作パターンは、携帯電話端末１００の所持者以外は通常思いつかないような操作パターンとすることが好ましい。解除操作パターンは、たとえば、暗証番号とすることができ、該当する暗証番号が入力された場合に、防犯機能部１１４の起動を停止するようにすることができる。
【００３３】
操作判定部１１０は、異常操作記憶部１１８および設定操作記憶部１２０を参照して、抽出した入力操作パターンが携帯電話端末１００の通常の操作指示（通常操作パターンに該当）、異常操作パターンの登録指示、防犯機能の起動受け付け（異常操作パターンに該当）、防犯機能の解除受け付け（解除操作パターンに該当）等のいずれであるかを判定する。
【００３４】
登録受付部１０８は、操作判定部１１０により異常操作パターンの登録指示があったと判定されると、ユーザから入力される異常操作パターンの登録を受け付ける。ここで、ユーザは、任意の異常操作パターンを入力することができる。登録受付部１０８は、ユーザから異常操作パターンの登録指示があると、当該異常操作パターンが、設定操作記憶部１２０に通常操作パターンとして記憶されているか否かを判断し、設定操作記憶部１２０に記憶されていない場合に、当該異常操作パターンを異常操作記憶部１１８に記憶する。一方、登録受付部１０８は、ユーザから入力された異常操作パターンが、設定操作記憶部１２０に記憶されている場合、表示部１０６に、その操作パターンは既に通常操作パターンとして登録済みであり、異常操作パターンとして登録できない旨を表示させる。また、上述したように、本実施の形態において、異常操作記憶部１１８は所定数の異常操作パターンを記憶することができる。登録受付部１０８は、既に異常操作記憶部１１８に所定数の異常操作パターンが記憶されている場合に、さらにユーザから新たな異常操作パターンの登録指示があると、新たな異常操作パターンを既に登録されている異常操作パターンに上書きするか否か等を問い合わせる。
【００３５】
また、図示していないが、携帯電話端末１００は、誤操作が生じやすいような操作パターン等、異常操作パターンとして登録できない操作パターンの候補を記憶する記憶部をさらに含むことができる。登録受付部１０８は、ユーザから入力された異常操作パターンが誤操作が生じやすいような操作パターン等、登録できない操作パターンに該当する場合、表示部１０６に、その異常操作パターンは登録できない旨を表示させることができる。
【００３６】
さらに、他の例において、携帯電話端末１００は、異常操作パターンの候補を複数記憶しておくことができ、登録受付部１０８は、操作判定部１１０により異常操作パターンの登録指示があったと判定されると、異常操作パターンの候補をユーザに提示して、いずれかの異常操作パターンをユーザに選択させることができる。このようにすれば、防犯機能部１１４を起動させる際に、多くの人やユーザが無意識に実行するような操作パターンをユーザに提示するとともに、それをユーザに選択させるので、誤操作により防犯機能部１１４が起動されるのを防ぎつつ、必要なときに簡易な操作で防犯機能部１１４を起動させることができる。
【００３７】
また、登録受付部１０８は、解除操作パターンの登録を受け付けることもできる。登録受付部１０８は、ユーザから解除操作パターンの登録指示があると、当該解除操作パターンが他人に簡易に検出されるものでないか否かを判断する機能を有する構成とすることができる。たとえば、図示していないが、携帯電話端末１００は、ユーザの生年月日等のユーザ情報を記憶する記憶部をさらに含むことができる。登録受付部１０８は、ユーザから入力された解除操作パターンがユーザの生年月日等から簡単に導けるようなものの場合、表示部１０６に、その解除操作パターンは登録できない旨を表示させることができる。また、携帯電話端末１００は、ユーザの生年月日等から簡単に導けるような操作パターン等、解除操作パターンとして登録できない操作パターンの候補を記憶する記憶部をさらに含むこともできる。登録受付部１０８は、ユーザから入力された解除操作パターンが登録できない操作パターンに該当する場合、表示部１０６に、その解除操作パターンは登録できない旨を表示させることができる。
【００３８】
防犯機能起動部１１２は、操作判定部１１０により、入力操作パターンが異常操作記憶部１１８に記憶された異常操作パターンに該当すると判定された場合に、防犯機能部１１４を起動させる。防犯機能起動部１１２は、たとえば防犯機能部１１４に電力を供給する電源のオンオフを切り替える手段とすることができる。この電源は、携帯電話端末１００の他の機能を動作させるための電源と同じとすることもでき、また別途設けることもできる。
【００３９】
防犯機能部１１４は、たとえば防犯ブザーや防犯ベル等の音声出力部とすることができる。この場合、防犯機能部１１４は、一般的な携帯電話端末に設けられている着信音出力部等を流用して構成することもできる。さらに、防犯機能部１１４は、たとえば予め登録された緊急連絡先に電話や電子メールを送信する手段とすることもできる。
【００４０】
なお、本実施の形態においては、携帯電話端末１００が防犯機能部１１４を内蔵する構成を示したが、防犯機能部１１４は、携帯電話端末１００に外付けされたり、携帯電話端末１００とは別個に設けられ、携帯電話端末１００と無線通信等により通信を行う構成とすることもできる。防犯機能部１１４が外付けされていたり、携帯電話端末１００とは別個に設けられている場合、防犯機能起動部１１２は、防犯機能部１１４に信号を出力する手段とすることができる。
【００４１】
図３は、本実施の形態における携帯電話端末１００の処理手順を示すフローチャートである。
ユーザにより操作ボタン群１０２が押下等され、操作ボタン群１０２の操作を検出すると（Ｓ１００のＹＥＳ）、操作検出部１０４は、操作履歴記憶部１１６に操作履歴を記憶する（Ｓ１０２）。操作判定部１１０は、操作検出部１０４が操作ボタン群１０２の操作を検出すると、操作履歴記憶部１１６から操作履歴を機能等の単位で入力操作パターンとして抽出し、設定操作記憶部１２０を参照してその入力操作パターンが異常操作パターンの登録指示に該当するか否かを判断する（Ｓ１０４）。入力操作パターンが異常操作パターンの登録指示でない場合（Ｓ１０４のＮＯ）、操作判定部１１０は、設定操作記憶部１２０を参照してその入力操作パターンが防犯機能の解除指示であるか否かを判断する（Ｓ１０６）。具体的には、操作判定部１１０は、入力操作パターンが設定操作記憶部１２０に記憶された解除操作パターンに該当するか否かを判断する。入力操作パターンが防犯機能の解除指示でもない場合（Ｓ１０６のＮＯ）、操作判定部１１０は、異常操作記憶部１１８を参照してその入力操作パターンが異常操作パターンに該当するか否かを判断する（Ｓ１０８）。ここで、入力操作パターンが異常操作パターンに該当しない場合（Ｓ１０８のＮＯ）、通常処理が行われる。
【００４２】
ステップＳ１０８において、入力操作パターンが異常操作パターンに該当する場合（Ｓ１０８のＹＥＳ）、操作判定部１１０は、防犯機能起動部１１２に防犯機能部１１４の起動指示を行う。防犯機能起動部１１２は、操作判定部１１０の指示に基づき、防犯機能部１１４を起動させる（Ｓ１１０）。
【００４３】
ステップＳ１０６において、入力操作パターンが防犯機能の解除指示である場合（Ｓ１０６のＹＥＳ）、操作判定部１１０は、防犯機能起動部１１２に防犯機能部１１４の解除指示を行う。防犯機能起動部１１２は、操作判定部１１０の指示に基づき、防犯機能部１１４の機能を解除させる（Ｓ１１２）。
【００４４】
ステップＳ１０４において、入力操作パターンが異常操作パターンの登録指示である場合（Ｓ１０４のＹＥＳ）、操作判定部１１０は、登録受付部１０８に通知を行う。登録受付部１０８は、操作判定部１１０からの通知を受けると、表示部１０６等にユーザへの指示を表示させ、ユーザに登録したい異常操作パターンを入力させる等して、登録候補の異常操作パターンを取得する（Ｓ１１４）。つづいて、登録受付部１０８は、取得した登録候補の異常操作パターンが登録可能か否かを判断する（Ｓ１１６）。たとえば、ユーザが入力した異常操作パターンに何らかの機能が既に付与されている場合、登録受付部１０８は、その異常操作パターンを登録不可と判断する（Ｓ１１６のＮＯ）。この場合、登録受付部１０８は、表示部１０６に「その操作パターンは既に登録されています。」等の登録不可通知を行う（Ｓ１２０）。また、登録受付部１０８は、異常操作記憶部１１８に既に所定数の異常操作パターンが登録されている場合、「上書きしますか？」等の問い合わせを行うこともできる。
【００４５】
ステップＳ１１６において、異常操作パターンが登録可能な場合（Ｓ１１６のＹＥＳ）、登録受付部１０８は、取得した異常操作パターンを異常操作記憶部１１８に登録する（Ｓ１１８）。以上により、処理を終了する。
【００４６】
以上のように、本実施の形態における携帯電話端末１００によれば、携帯電話端末１００のユーザが通常行わない異常操作パターンに該当する入力操作パターンの入力を検知するため、携帯電話端末１００をいつも持ち歩いているユーザが防犯機能を有する手段を簡易に起動させることができる。
【００４７】
また、携帯電話端末１００は、防犯以外の用途でユーザがいつも持ち歩くものとすることができる。これにより、ユーザの防犯グッズの所持忘れ等を防止することができる。
【００４８】
以上、図面を参照して本発明の実施形態について述べたが、これらは本発明の例示であり、上記以外の様々な構成を採用することもできる。
【００４９】
以上の実施の形態においては、携帯端末が携帯電話端末である場合を例として説明したが、携帯端末は、たとえばデジタルカメラ、腕時計、携帯ＤＶＤプレーヤー、携帯ゲーム機、ＰＤＡ等個人が所持しやすい種々の電子機器とすることができる。
【００５０】
また、携帯端末に予め備えられた防犯以外の機能、たとえば通信機能と防犯機能とを連動させたり、記憶機能と防犯機能とを連動させて稼動記録を保管する等、防犯機能を容易に拡大することもできる。
【００５１】
また、以上の実施の形態において、誤操作によって防犯機能部１１４が起動されることも想定されるため、たとえば、操作判定部１１０により入力操作パターンが異常操作パターンに該当すると判定された場合でも、所定の時間内は、簡易な方法で防犯機能部１１４の起動を解除できるようにすることもできる。また、異常操作記憶部１１８に複数の異常操作パターンを登録する場合、異常操作パターン毎に、その異常操作パターンに該当する入力操作パターンが入力された場合に、所定の解除期間を設けるか否かの設定を行うこともできる。
【図面の簡単な説明】
【００５２】
【図１】本発明の実施の形態における携帯電話端末の構成を示すブロック図である。
【図２】本発明の実施の形態における携帯電話端末の外観模式図である。
【図３】本発明の実施の形態における携帯電話端末の処理手順を示すフローチャートである。
【符号の説明】
【００５３】
１００  携帯電話端末
１０２  操作ボタン群
１０４  操作検出部
１０６  表示部
１０８  登録受付部
１１０  操作判定部
１１２  防犯機能起動部
１１４  防犯機能部
１１６  操作履歴記憶部
１１８  異常操作記憶部
１２０  設定操作記憶部
【図１】
2007053470.tif 000003
【図２】
2007053470.tif 000004
【図３】
2007053470.tif 000005